(57)【要約】【課題】押下したときに違和感を感じることがないばかりでなく、電気的接触を良好に得ることができる。【解決手段】本体２に対し表示部がヒンジ部４を介して開閉可能取り付けられている。本体２は、表面に電源キーやモード切替キーなどをなす選択スイッチ５と、アラビア数字やアルファベットなどの機能をなすキー６が複数配設されている。キー６の押圧部６ａが一方から他方に向けて傾斜する形状、即ち、携帯電話機を上下方向に合わせて正対した場合、その下部側から上部側に向けて次第に傾斜する形状をなしている。【選択図】  図６
2004296329.tif 000002
【特許請求の範囲】
【請求項１】
押圧部を有し、該押圧部の下方に設けられる可動接点と該可動接点の下方に設けられて該可動接点と接触し得る複数の固定接点とを備えたキーにおいて、
前記押圧部が、その押圧方向に直交する基準面に対し一方から他方に向けて傾斜していることを特徴とするキー。
【請求項２】
キーを備えた電子端末装置において、
請求項１記載のキーを複数備えてなることを特徴とするキーを備えた電子端末装置。
【請求項３】
請求項２記載のキーを備えた電子端末装置において、
携帯電話機能あるいは簡易型携帯電話機能を備えることを特徴とする電子端末装置。
【発明の詳細な説明】
【０００１】
【発明の属する技術分野】
この発明は、キー及びキーを備えた電子端末装置に係り、特に携帯電話機や簡易型携帯端末、携帯端末（ＰＤＡ）等として使用するのに好適なキー及び電子端末装置に関する。
【０００２】
【従来の技術】
近年、携帯電話機のような電子端末装置は、通常の電話機能を有するばかりでなく、電子メール等の通信機能をもつものが広く普及している。電子メールを作成する場合には文字を入力する必要があるが、この場合に操作するキーは、これが押下されると、その下方に設けられている可動接点が、対応する固定接点に向けて押圧され、該固定接点と接触することで電気的接触が得られるようになっている。この際、携帯電話機においては、一つのキーに文字やアルファベット等が複数割り当てられていることから、それらに対応し一つのキーにより可動接点が複数の固定接点と同時に接触するようになっている。
【０００３】
ところが、キーを押下した場合、可動接点と全ての固定接点との接触が良好に得られ難いことがあることから、これを改善するため、従来例においては、押圧部を押下したときに可動接点とそれに対応する固定接点が全て電気的接触するように工夫されたものが提案されている（例えば、特許文献１参照。）。
【０００４】
【特許文献１】
特開２００２−２０８３２８号公報（第３−４頁、図１−図７）
【０００５】
【発明が解決しようとする課題】
しかしながら、上記従来例においては、押圧部の先端に突起が設けられると共に、その押圧部の端部に可動接点側に向かう突起が設けられているので、押圧部が押下された場合、局所的に押された状態となってしまい、可動接点側に対応する全ての固定接点とそれぞれ電気的に接触させることができない問題があった。しかも、押圧部の先端に細い突起が設けられていることから、その部分を押下すると、指先に違和感を感じてしまい、操作感覚が芳しいものとは言い難い問題もあった。
【０００６】
この発明は、このような事情を考慮してなされたもので、その目的は、押下したときに違和感を感じることがないばかりでなく、電気的接触を良好に得ることができるキーを提供することにあり、他の目的は、上記キーを備えた電子端末装置を提供することにある。
【０００７】
【課題を解決するための手段】
上記目的を達成するために、この発明は以下の手段を提案している。
請求項１に係る発明は、押圧部を有し、該押圧部の下方に設けられる可動接点と該可動接点の下方に設けられて該可動接点と接触し得る複数の固定接点とを備えたキーにおいて、前記押圧部が一方から他方に向けて傾斜していることを特徴とする。
【０００８】
この発明に係るキーによれば、キーの押圧部が一方から他方に向けて傾斜しているので、押圧部の一方が押されると、一方から他方にかけて次第に押されて可動接点を押下させ、押圧部を略平面状にさせることで可動接点を対応する固定接点にそれぞれ独立的に接触させることができるので、可動接点と全ての固定接点との電気的接触を良好に行うことができる。しかも、押圧部が傾斜することで、押圧部に対する指の引き掛かりがよく、押下したときの感覚も良好となり、違和感のない操作性を得ることができる。
【０００９】
請求項２に係る発明は、請求項１記載のキーにおいて、前記押圧部は、キーを立てた状態で正対したとき、下部側から上部側に至るに従い次第に外方に突出する傾斜面をなしていることを特徴とする。
この発明に係るキーによれば、上下方向の位置を揃えた状態でキーを押下すると、押圧部を容易に略平面状にさせることができ、可動接点を対応する固定接点の全てにそれぞれ独立的に接触させることができるので、電気的接触及び操作性がさらに良好となる。
【００１０】
請求項３に係る発明は、キーを備えた電子端末装置において、請求項１又は２記載のキーを複数備えてなることを特徴とする。
この発明に係るキーを備えた電子端末装置によれば、各キーの押圧部を略平面状に押下させて可動接点を対応する固定接点の全てにそれぞれ独立的に接触させることができるので、電気的接触及び操作性が良好となる電子端末装置を提供できる。
【００１１】
請求項４に係る発明は、請求項３記載のキーを備えた電子端末装置において、携帯電話機能あるいは簡易型携帯電話機能を備えることを特徴とする。
この発明に係るキーを備えた電子端末装置によれば、携帯電話機あるいは簡易型携帯電話機として利用することができるので、良好な電気的接触が得られる信頼性の高い携帯電話機あるいは簡易型携帯電話機を実現することができる。
【００１２】
【発明の実施の形態】
以下、図面を参照し、この発明の実施の形態について説明する。図１から図６はこの発明の一実施の形態に係る電子端末装置を適用した携帯電話機を示す図であって、図１は携帯電話機を示す正面図、図２は図１の左側面図、図３は同じく図１の右側面図、図４は携帯電話機を折り畳んだ状態を示す図２に対応の側面図、図５は図１のＡ−Ａ線に相当する拡大断面図、図６は本体を断面した説明図である。
図１〜図４において、符号１はこの実施形態の携帯電話機を示し、２は本体、３は表示部である。
この携帯電話機１は、本体２に対し表示部３がヒンジ部４を介して開閉可能取り付けられている。本体２は、表面に電源キーやモード切替キーなどをなす選択スイッチ５と、アラビア数字やアルファベットなどの機能をなすキー６が複数配設されている。そして、図４に示すように、本体２に表示部３が閉じられた状態にあるとき、本体２の上に表示部３が重なって表示部３と選択スイッチ５とが略同一平面上となり、本体２の両側に設けられた開閉釦７を操作したとき、表示部３が図２及び図３に示すように本体２に対し回動して開き、これによって図１に示すように表示部３が正面側に露出するようになっている。
【００１３】
本体２は、その内部構成が詳細に図示されていないものの、図５に示すように、回路基板８の上方にドーム型基板９が設けられ、そのドーム型基板９の上にキー６が設けられている。ドーム型基板９は各キー６の下方に設けられてあって、底面に可動接点１０が形成されている。
【００１４】
そして、キー６が押下されると、その下面側がドーム型基板９を下方に変形させる如く押され、該ドーム型基板９の底面の可動接点１０が回路基板８に設けられている複数の固定接点１３〜１５とそれぞれ電気的接触が得られるようになっている。
【００１５】
そのため、ドーム型基板９の底面にそれぞれのキー毎に対応して一個の可動接点１０が設けられると共に、回路基板８上にもそれぞれの可動接点１０に対応する固定接点１３〜１５が設けられている。固定接点１３〜１５は、一つのキーに複数の文字やアルファベット、更には数字等が割り当てられていることからそれぞれ三個ずつ設けられている。キー６及び選択スイッチ５は、可撓性を有する合成樹脂によって形成され、押下されると、若干撓むようになっている。
従って、この携帯電話機１は、キー６の押圧部６ａの下方に可動接点１０と、これの下方に可動接点１０と接触し得る三個の固定接点１３〜１５とが備えられている。
【００１６】
この実施形態においては、図５及び図６に示すように、キー６の押圧部６ａが一方から他方に向けて傾斜する形状、即ち、携帯電話機１を上下方向に合わせて正対した場合、その下部側から上部側に向けて次第に傾斜する形状をなしている。押圧部６ａは、一様の厚みをなしており、操作のために押下されると、撓むようへこむ。
なお、図示していないが、下筐体３の内部には携帯電話機能を果たすのに必要な送受信部、及びその送受信部の制御を行う制御部等種々の構成部品が内蔵されている。図１において、符号１６は受話用のスピーカ部、１７は送話用のマイクロフォン部である。
【００１７】
この実施形態の携帯電話機１は、上記のように、キー６の押圧部６ａがその下部側から上部側に向けて次第に傾斜する一様の厚み形状をなしているので、押圧部６ａの最も突出している上部側が指Ｆで押されると、押圧部６ａの上部側から下部側にかけて次第に押下させ、押圧部６ａが図７に示すように、可動接点１０及び固定接点１３〜１５と対応する部分を略平面状にさせることができるので、可動接点１０を対応する固定接点１３〜１５にそれぞれ独立的に接触させることができる。図７はキー６が指Ｆで押下されたときの状態を示す作用説明図である。
【００１８】
従って、この携帯電話機１によれば、押圧部６ａの上部側が押されると、押圧部６ａの上部側から下部側にかけて次第に押下し、押圧部６ａを略平面状にさせることで可動接点１０も略平面状に押圧され、可動接点１０を対応する固定接点１３〜１５の全てにそれぞれ独立的に接触させることができるので、従来例のように突起によって局所的に可動接点を押すことがなくなり、固定接点を可動接点１０と固定接点１３〜１５との電気的接触を良好に行うことができる。しかも、押圧部６ａが傾斜することで、押圧部６ａに対する指Ｆの引き掛かりがよく、押下したときの感覚も良好となり、違和感のない操作性を得ることができる。
【００１９】
また、本体２の上下方向の位置を合わせると、キー６の押圧部６ａが下部側から上部側に至るに従って次第に外方に突出するので、キー６の押圧操作を的確に行うことができ、その結果、操作性に優れた携帯電話機１を実現することができる。このようなことは、キー６のみに限らず、選択キー５も同様の形状に形成することでも選択キー５の操作性を改善することができる。
【００２０】
なお、図示実施の形態では、一つのキー６により可動接点１０が三個の固定接点１３〜１５と接触する例を示したが、その数に限定されるものではない。
また、電子端末装置として携帯電話機に適用された例を示したが、それ以外のもの、例えば携帯端末（ＰＤＡ）や電子辞書等にも適用して同様の作用効果を得ることができ、図示例に限定されるものではない。
【００２１】
本発明によれば、キーの押圧部が一方から他方に向けて傾斜し、押圧部の一方を押すと、一方から他方にかけて次第に押下させ、押圧部を略平面状にさせることができるように構成したので、可動接点を対応する固定接点にそれぞれ独立的に接触させることができる結果、電気的接触が良好となり、またキーを押下したときの引き掛かりがよく、違和感のない操作性を得ることができ、押下したときの感覚が良好となる。
【００２２】
また、本発明によれば、上下方向に合わせた状態でキーを押下すると、押圧部を容易に略平面状に押圧させることができ、可動接点を対応する固定接点の全てにそれぞれ独立的に接触させることができるので、電気的接触及び操作性が確実に良好となる。
【００２３】
また、本発明によれば、各キーの押圧部を略平面状に押下させて可動接点を対応する固定接点の全てにそれぞれ独立的に接触させることができるので、電気的接触及び操作性が良好となる電子端末装置を提供できる。
【００２４】
また、本発明によれば、携帯電話機として利用することができるので、良好な電気的接触が得られる、信頼性の高い携帯電話機を実現できる。
【００２５】
【発明の効果】
以上、説明したように、本発明によれば、キーの押圧部が押圧方向に直交する基準面に対し一方から他方に向けて傾斜する構造となっているため、押下したときに違和感を感じることがないばかりでなく、電気的接触を良好に得ることができるという効果がある。
【図面の簡単な説明】
【図１】この発明の一実施の形態に係る電子端末装置を適用した携帯電話機を示す正面図である。
【図２】図１の左側面図である。
【図３】同じく図１の右側面図である。
【図４】携帯電話機を折り畳んだ状態を示す図２に対応の側面図である。
【図５】図１のＡ−Ａ線に相当する拡大断面図である。
【図６】本体を断面した説明図である。
【図７】キーが押下されたときの状態を示す作用説明図である。
【符号の説明】
１    携帯電話機（電子端末装置）
２    本体
３    表示部
６    キー
６ａ  押圧部
１０    可動接点
１３〜１５    固定接点
【図１】
2004296329.tif 000003
【図２】
2004296329.tif 000004
【図３】
2004296329.tif 000005
【図４】
2004296329.tif 000006
【図５】
2004296329.tif 000007
【図６】
2004296329.tif 000008
【図７】
2004296329.tif 000009